(57)【要約】【課題】計量誤差の要因となるネジの締め付けの緩みを防止することのできる膜式ガスメーターの計量膜用軸受止め構造を提供すること。【解決手段】  計量膜の往復動を翼１２の揺動運動に変換させるために、翼の先部の軸１４に軸受１５を係合し、計量膜を前後から挟んだ膜板１６の中央部に軸受をネジ止めしてある膜式ガスメーターの計量膜用軸受止め構造において、ネジ止め箇所を中心にして軸受が回転するのを規制する回り止め手段２１を、軸受と膜板の少なくとも一方に設けてあること。回り止め手段２１が、凹部１９と凸部２０による嵌め合わせであって、膜板と軸受の一方に凹部を、他方に凸部を設けること。【選択図】      図１
2005227209.tif 000002
【特許請求の範囲】
【請求項１】
メーター本体（Ｍ）内には前後の計量室（４，５）を有し、各計量室を計量膜（６）で前後の部屋（７〜１０）に仕切り、部屋へのガスの流入に伴って計量膜を往復動させ、計量膜の往復動を翼（１２）の揺動運動に変換させるために、翼の先部の軸（１４）に軸受（１５）を係合し、計量膜を前後から挟んだ膜板（１６）の中央部に軸受をネジ止めしてある膜式ガスメーターの計量膜用軸受止め構造において、
ネジ止め箇所を中心にして軸受が回転するのを規制する回り止め手段（２１）を、軸受と膜板の少なくとも一方に設けてあることを特徴とする膜式ガスメータの計量膜用軸受止め構造。
【請求項２】
回り止め手段（２１）が、凹部（１９）と凸部（２０）による嵌め合わせであって、膜板と軸受の一方に凹部を、他方に凸部を設けることを特徴とする請求項１記載の膜式ガスメーターの計量膜用軸受止め構造。
【発明の詳細な説明】
【技術分野】
【０００１】
本発明は、計量室内を往復動する計量膜の前後に膜板をそれぞれ配置し、計量膜を挟んだ状態の両膜板に軸受を止めるための構造に関する。
【背景技術】
【０００２】
膜式ガスメーターの作動原理を説明する。先ず、図７に示すようにガスがメーター本体Ｍの入口１よりバルブ２、分配室３を通過して、前後の計量室４，５の一方に突入する。各計量室４，５は計量膜６によって前部屋７，８、後部屋９，１０に仕切ってあり、ガスが突入した部屋は圧力差によって計量膜６が移動して広くなり、一方、計量膜６の移動によって狭くなった部屋のガスが再度、分配室３、バルブ２を経て出口１１に排出される。計量膜の往復運動は図８に示すように、ガスが突入した計量室内の翼１２の揺動運動に変えられた後に計量室外のリンク機構１３に伝えられ、最終的にメーター指示部（図示省略）が駆動する。また、図８の（イ）から（ニ）に示すようにリンク機構１３の動きに伴ってバルブ２が所定角度回転すると、バルブ２と分配室３との連通の仕方が変わり、入口に連通する計量室の部屋が切り換わると共に、出口に連通する部屋が切り換わる。従って、ガスの使用によってガスの出入りする部屋が図７の（イ）、（ロ）、（ハ）、（ニ）の順番に変わり、それに伴って前後の計量膜が順々に往復運動することになり、ガスの計量が行われる。なお、図７と図８の各図は対応している。
【０００３】
ところで、揺動可能な翼１２と計量膜６を連結する部分については図９又は図１０に示すように、翼１２の先部の軸１４に軸受１５を係合し、計量膜６とその前後を挟持する二枚の膜板１６に対して軸受１５をネジ止めする構造となっている。軸受１５によるネジ止め構造をさらに詳細に説明すれば、軸受１５から突出する一本のネジ１７を、計量膜６及び膜板１６の中央部の抜穴に貫通させ、反対側からナット１８で締め付ける構造である。
【特許文献１】特開２００３−１４５２１号公報（図１から図３、図６）
【発明の開示】
【発明が解決しようとする課題】
【０００４】
ところが、軸受は単に一本のネジで止められているので、組立時に軸受を軸に装着する際に軸受に対して力がかかると、軸受の回転に伴ってネジの締め付けが緩んだり、ネジを貫通させる抜穴の遊び範囲内で微妙に取り付け位置がズレたりするおそれがある。締め付けが緩めば、計量膜によって仕切られたはずの前後の部屋が、わずかに連通することになって、計量誤差が発生する要因となる。また、取り付け位置のズレが生ずれば、計量膜にしわ等が発生し、計量誤差が発生する要因となる。
【０００５】
本発明は上記実情を考慮して開発されたもので、計量誤差の要因となるネジの締め付けの緩みを防止することのできる膜式ガスメーターの計量膜用軸受止め構造を提供することを目的とする。
【課題を解決するための手段】
【０００６】
本発明は、メーター本体内には前後の計量室を有し、各計量室を計量膜で前後の部屋に仕切り、部屋へのガスの流入に伴って計量膜を往復動させ、計量膜の往復動を翼の揺動運動に変換させるために、翼の先部の軸に軸受を係合し、計量膜を前後から挟んだ膜板の中央部に軸受をネジ止めしてある膜式ガスメーターの計量膜用軸受止め構造を前提とする。
【０００７】
そして、ネジ止め箇所を中心にして軸受が回転するのを規制する回り止め手段を、軸受と膜板の少なくとも一方に設けてあることを特徴とする。
【０００８】
ネジは軸受と別体であっても良いし、一体であっても良い。回り止め手段の一例としては、例えば、軸受の周方向側方に突出する凸部を膜板に形成し、凸部を軸受に干渉させて回転を防ぐものが挙げられる。また、それ以外の例としては、請求項２の発明のように、回り止め手段が凹凸部による嵌め合わせであって、膜板と軸受の一方に凹部を、他方に凸部を設けるものでも良い。
【発明の効果】
【０００９】
本発明は、回り止め手段によって膜板に対する軸受の回転を防げるので、軸受を軸に装着する際に軸受に対して力が加わっても、軸受の回転を防止でき、それに伴ってネジの緩みを防止でき、その結果、精度の高い計量を確保できる。
【発明を実施するための最良の形態】
【００１０】
以下本発明の膜式ガスメーターの計量膜用軸受止め構造を図面に基づいて説明する。なお、従来例と共通する構成要素には同一の符号を付けるものとする。
【００１１】
計量膜用軸受止め構造は図１に示すように、計量膜６を前後から挟む二枚の膜板１６に対して、軸受１５をネジ止めすると共に、軸受の回り止め手段２１である凹部１９と凸部２０を、軸受１５と膜板１６の双方に分けて設けたものである。
【００１２】
軸受１５は図２に示すように、膜板１６に押し付ける当板２２の上下にアーム２３を、当板２２から離れる方向に屈曲して形成し、当板２２側から凸部２０を膜板側に向かって突出してある。詳細に言えば軸受１５の上部は、アーム２３の付け根手前部分から延長板２４を上方に突出し、延長板２４の先にピン状の凸部２０を膜板側に向かって突出し、アーム２３の先部には軸１４を収容する軸通し孔２５を設けてある。軸通し孔２５はＣ字状であって、軸１４をスナップ式に嵌め込むことが可能となっている。軸受１５の下部は、軸受１５の上部と対称的に形成してある。また、当板２２は、その中央部にネジ止め用の抜穴２６をあけてある。
【００１３】
膜板１６は図３又は図４に示すように円盤状であって、計量膜６から離れるリブ２７を同心円状に形成し、リブ２７の上下に凹部１９を形成してある。また、膜板１６の中央部にはネジ止め用の抜穴２８があけてある。凹部１９に嵌り込んだ凸部２０は図１に示すように計量膜６から離れているので、計量膜６に影響を与えない。
【００１４】
計量膜６は、弾性を有する素材で皿状に形成され、その外周縁部を前後から挟持することでシールを確保し、挟持された部分以外がガスの圧力によって前後に往復動する（図１、図５参照）。また、計量膜６の中央部にもネジ止め用の抜穴（符号省略）があけてある。
【００１５】
なお、軸受１５が係合する翼１２は図５又は図６に示すように、その先部に軸１４をそれぞれ上下に突出してある。従って、軸受１５の下側の軸通し孔２５を下側の軸１４に通し、上側の軸通し孔２５を上側の軸１４に通すことで、翼１２の先部の軸１４に軸受１５が係合する。ちなみに、翼１２の根元部分は図９に示すように、計量室４，５外から計量室４，５内に突入する翼軸２９の下部に固定してある。
【００１６】
本発明は上記実施形態に限定されない。例えば、膜板１６に凸部２０を設け、軸受１５に凹部１９を設ける構造であっても良い。
【図面の簡単な説明】
【００１７】
【図１】本発明の膜式ガスメーターの計量膜用軸受止め構造を示す縦断面図である。
【図２】（イ）、（ロ）、（ハ）、（ニ）、（ホ）、（ヘ）の各図は、軸受の平面図、左側面図、正面図、右側面図、Ａ−Ａ線断面図、底面図である。
【図３】膜板に軸受を取り付けた状態を示す図面である。
【図４】（イ）、（ロ）図は、膜板の正面図、Ａ−Ａ線端面図である。
【図５】翼と軸受との係合関係を示す平面図である。
【図６】（イ）、（ロ）図は翼と軸受との係合関係を示す正面図、Ａ−Ａ線断面図である。
【図７】（イ）、（ロ）、（ハ）、（ニ）の各図は、ガスの出入りする部屋が切り換わることを示す断面図である。
【図８】（イ）、（ロ）、（ハ）、（ニ）の各図は、リンク機構の動き及びバルブの回転運動と翼の揺動運動との関係を示す説明図である。
【図９】従来の膜式ガスメーターの計量膜用軸受止め構造を示す断面図である。
【図１０】従来の膜式ガスメーターの計量膜用軸受止め構造を示す別方向の断面図である。
【符号の説明】
【００１８】
Ｍ        メーター本体
４，５    計量室
６        計量膜
７，８    部屋（前部屋）
９，１０  部屋（後部屋）
１２      翼
１４      軸
１５      軸受
１６      膜板
１９      凹部
２０      凸部
２１      回り止め手段
【図１】
2005227209.tif 000003
【図２】
2005227209.tif 000004
【図３】
2005227209.tif 000005
【図４】
2005227209.tif 000006
【図５】
2005227209.tif 000007
【図６】
2005227209.tif 000008
【図７】
2005227209.tif 000009
【図８】
2005227209.tif 000010
【図９】
2005227209.tif 000011
【図１０】
2005227209.tif 000012